(57)【要約】【課題】竹の地下茎内に発芽防止剤を注入し地下茎の芽が成長するのを防止する筍の発芽防止方法およびその装置を提供する。【解決手段】発芽防止剤を貯留するタンク１１と、タンク１１から発芽防止剤を受け入れて加圧するポンプ１２と、ポンプ１２にホース１３を介して接続され、竹２９の地下茎１４に取付ける発芽防止剤注入手段１５とを有する筍の発芽防止装置１０を使用して、竹２９の地下茎１４の端部または途中位置から地下茎１４内に発芽防止剤を注入し、地下茎１４の芽３５が成長するのを防止する。【選択図】図１
2008086300.tif 000002
【特許請求の範囲】
【請求項１】
竹の地下茎の端部または途中位置から該地下茎内に発芽防止剤を注入し、該地下茎の芽が成長するのを防止することを特徴とする筍の発芽防止方法。
【請求項２】
請求項１記載の筍の発芽防止方法において、前記発芽防止剤は塩の水溶液であることを特徴とする筍の発芽防止方法。
【請求項３】
請求項２記載の筍の発芽防止方法において、前記塩は塩化ナトリウムであることを特徴とする筍の発芽防止方法。
【請求項４】
請求項１〜３のいずれか１項に記載の筍の発芽防止方法に使用する筍の発芽防止装置であって、
前記発芽防止剤を貯留するタンクと、
前記タンクから前記発芽防止剤を受け入れて加圧するポンプと、
前記ポンプにホースを介して接続され、前記竹の地下茎に取付ける発芽防止剤注入手段とを有するとを特徴とする筍の発芽防止装置。
【請求項５】
請求項４記載の筍の発芽防止装置において、前記発芽防止剤注入手段は前記地下茎の切断端部に取付けられることを特徴とする筍の発芽防止装置。
【請求項６】
請求項４および５のいずれか１項に記載の筍の発芽防止装置において、前記発芽防止剤注入手段が取付けられる前記地下茎の取付け部には、該取付け部を外側から覆って補強する補強部材が設けられていることを特徴とする筍の発芽防止装置。
【発明の詳細な説明】
【技術分野】
【０００１】
本発明は、竹の地下茎内に発芽防止剤を注入して地下茎の節部に存在する芽が筍に成長するのを防止する筍の発芽防止方法およびその装置に関する。
【背景技術】
【０００２】
林業では、樹木の無秩序な生育を防止するための間伐や、樹木の枝が無秩序に繁るのを防止するための剪定を行なう必要があるが、人手不足、後継者不足により、森や林の十分な管理を行なうことが困難な状況になっている。そこで、剪定により生じた樹木の切口から新芽が発芽するのを防止するため、発芽防止剤を塗布することによって形成される被覆層によって発芽箇所を密着被覆することが提案されている（例えば、特許文献１参照）。
【０００３】
【特許文献１】特開２００６−００１８４８号公報
【発明の開示】
【発明が解決しようとする課題】
【０００４】
一方、竹は、筍から成長して親竹になるとそれ以降の増長肥大は見られず、親竹から伸びる地下茎と地下茎の節部から出る筍とで繁殖して行く。このため、筍を掘り出しながら適宜地下茎を取り除く作業を怠ると、竹林面積が徐々に拡大して行くという問題が生じている。しかしながら、地下茎から筍が発芽するのを防止するため、特許文献１に記載された発芽防止方法を適用しようとすると、竹の地下茎を掘り出して発芽防止剤を含む被覆層で地下茎の節部を覆わねばならず、現実的ではない。
【０００５】
本発明は係る事情に鑑みてなされたもので、竹の地下茎内に発芽防止剤を注入し地下茎の芽が成長するのを防止する筍の発芽防止方法およびその装置を提供することを目的とする。
【課題を解決するための手段】
【０００６】
前記目的に沿う第１の発明に係る筍の発芽防止方法は、竹の地下茎の端部または途中位置から該地下茎内に発芽防止剤を注入し、該地下茎の芽が成長するのを防止する。
【０００７】
第１の発明に係る筍の発芽防止方法において、前記発芽防止剤は塩の水溶液とすることができる。
そして、前記塩は塩化ナトリウムとすることが好ましい。
【０００８】
前記目的に沿う第２の発明に係る筍の発芽防止装置は、第１の発明に係る筍の発芽防止方法に使用する筍の発芽防止装置であって、
前記発芽防止剤を貯留するタンクと、
前記タンクから前記発芽防止剤を受け入れて加圧するポンプと、
前記ポンプにホースを介して接続され、前記竹の地下茎に取付ける発芽防止剤注入手段とを有する。
【０００９】
第２の発明に係る筍の発芽防止装置において、前記発芽防止剤注入手段は前記地下茎の切断端部に取付けることが好ましい。
また、前記発芽防止剤注入手段が取付けられる前記地下茎の取付け部には、該取付け部を外側から覆って補強する補強部材が設けられていることが好ましい。
【発明の効果】
【００１０】
請求項１〜３記載の筍の発芽防止方法および請求項４〜６記載の筍の発芽防止装置においては、地下茎の芽に発芽防止剤を供給するので、竹を枯らさずに筍の発芽を防止することができる。また、発芽防止剤を地下茎内に注入すると、竹同士は地下茎で相互に繋がっているので、発芽防止剤が注入された地下茎の周囲に存在する地下茎にも発芽防止剤を同時に供給することができる。その結果、広範囲の地下茎からの筍の発芽を安価かつ効率的に防止することが可能になる。
【００１１】
特に、請求項２記載の筍の発芽防止方法においては、発芽防止剤に塩の水溶液を使用するので、発芽防止剤を地下茎内に容易に供給することができる。
請求項３記載の筍の発芽防止方法においては、塩化ナトリウムを使用するので、安価に発芽防止を行なうことができるとともに、環境に与える影響を小さくできる。
請求項５記載の筍の発芽防止装置においては、発芽防止剤注入手段を地下茎の切断端部に取付けるので、地下茎内に発芽防止剤を効率的に注入することができる。
請求項６記載の筍の発芽防止装置においては、地下茎の取付け部に補強部材を設けることで、発芽防止剤の注入時に地下茎の割れや折損を防止できる。
【発明を実施するための最良の形態】
【００１２】
続いて、添付した図面を参照しつつ、本発明を具体化した実施の形態につき説明し、本発明の理解に供する。
ここで、図１は本発明の第１の実施の形態に係る筍の発芽防止装置の説明図、図２は同筍の発芽防止装置を使用して発芽防止剤を注入する際の状況を示す説明図、図３は本発明の第２の実施の形態に係る筍の発芽防止装置の発芽防止剤注入手段の説明図である。
【００１３】
図１に示すように、本発明の第１の実施の形態に係る筍の発芽防止装置１０は、発芽防止剤である塩化ナトリウム（塩の一例）の水溶液（以下、塩水という）を貯留するタンク１１と、タンク１１から塩水を受け入れて加圧するポンプ１２と、ポンプ１２にホース１３を介して接続され、竹２９の地下茎１４（図２参照）に取付ける発芽防止剤注入手段１５とを有する。以下、詳細に説明する。
【００１４】
タンク１１としては、１回の注入作業に必要な塩水量が貯留できる容積を有し、軽量で可搬性に優れる形状のものが使用できる。ここで、注入に必要な塩水量の目安は、竹林面積が９９２ｍ２（約一反）当たり、濃度４〜１０％の塩水で３０〜１００リットルとなる。
ポンプ１２は、先部にストレーナ１６が取付けられた給水ホース１７の基部が接続され、内部に設けられた羽根車の回転によりタンク１１内の塩水を吸引して送り出す本体部１８と、本体部１８から塩水を調圧ねじ１９で設定した圧力（例えば、０．２〜０．５ＭＰａ）で吐出させる調圧弁２０と、羽根車を回転するモータ２１とを有している。また、本体部１８には、本体部１８から吐出される塩水の圧力が調圧ねじ１９で設定した圧力を超えた際に、余分な塩水をタンク１１に戻すオーバーフローホース２２が接続されている。なお、符号２３、２４は、それぞれモータ２１の電源スイッチおよび電源ケーブルである。
【００１５】
ホース１３は、基側が本体部１８の吐出口２５に接続され、調圧ねじ１９で設定した圧力に耐えられるものを使用する。
発芽防止剤注入手段１５は、基部がホース１３の先部と接続され、先部が竹の地下茎１４の切断端部に取付けられるノズル２６を有している。ここで、ノズル２６の先部には雄ねじ部が形成され、竹の地下茎１４の切断端部に形成した雌ねじ領域を備えた取付け部２７に、ノズル２６の先部に設けられた雄ねじ部をねじ込むことにより取付けている。更に、発芽防止剤注入手段１５は、地下茎１４の取付け部２７を外側から覆って補強する補強部材の一例であり銅線を取付け部２７の外周面に密着して巻き回した巻線部２８を有している。
【００１６】
続いて、本発明の第１の実施の形態に係る筍の発芽防止装置１０を使用した筍の発芽防止方法について説明する。
図２に示すように、竹林内の１本の竹（地上に出た筍が２〜６カ月以上経過して、親竹となったものがよい）２９の周囲の一部を掘って穴３０を形成する。そして、穴３０内に現れた多数の地下茎の中から、薄緑色または薄青色を呈し外径が１５〜２５ｍｍの地下茎１４を１つ選定する。
ここで、竹林が水平地に生育している場合は、作業がし易い任意の場所に穴を掘ることができるが、竹林が傾斜地に生育している場合は、竹林の高い場所に穴を掘るのがよい。これは、高い場所の地下茎に塩水を注入すると、重力の作用も加わって注入した塩水を下方に伸びる地下茎に容易に送ることができるからである。
【００１７】
地下茎１４が選定されると、地下茎１４を穴３０内で切断する。そして、切断して現れた一方の切断端部にドリルで凹部を形成し、凹部の内周面にタップで雌ねじ領域を設けて地下茎１４の切断端部に取付け部２７を形成する。取付け部２７の形成が完了すると、ノズル２６の先部に設けられた雄ねじ部をねじ込んで取付ける。そして、取付け部２７の外周面に密着して銅線をコイル状に巻き回して巻線部２８を形成し、取付け部２７を外周側から押圧して補強する。
【００１８】
また、穴３０の側に塩水が貯留されたタンク１１とポンプ１２をそれぞれ配置し、ポンプ１２に接続されている給水ホース１７のストレーナ１６およびオーバーフローホース１１の先部をタンク１１内に浸漬する。そして、ポンプ１２の本体部１８に設けられた吐出口２５にホース１３を取付け、ホース１３の先部をノズル２６の基部に接続する。
【００１９】
次いで、ポンプ１２の調圧弁２０に設けられた調圧ねじ１９を調整して、吐出口２５から、０．２〜０．５ＭＰｓ（好ましくは、０．３〜０．４ＭＰａ）の圧力で塩水が送り出されるように設定して、モータ２１を駆動する。そして、ノズル２６に設けられたボールバルブ３１の開度を調整して時間当たり１００〜４００ｃｃ（好ましくは１５０〜３００ｃｃ）の量の塩水が地下茎１４内に供給されるようにする。
【００２０】
地下茎１４内に塩水が流入すると、塩水は地下茎１４の導管内に流入し、更に地下茎１４と接続する他の地下茎３２〜３４の導管内にも流入していく。そして、塩水が導管内を通過しながら芽３５に到達すると、芽３５を構成している細胞内に進入して行く。細胞内に塩水が進入すると、細胞内の浸透圧が上昇して細胞内の水分が細胞外に流出する。このため、芽３５を構成している細胞が脱水状態になって細胞が破壊されるため、発芽が防止される。なお、穴３０内に露出している地下茎１４に存在する芽３５の表面が水で濡れる状態になっているか否かで、地下茎１４内に注入された塩水が導管内に流入しているか否かの判定ができる。
【００２１】
一方、図２に示すように、竹２９の根３６は、地下茎１４、３２〜３４とは直接連結していないため、塩水は根３６には流入し難く、根３６を構成している細胞は塩水により破壊され難いと解される。このため、竹２９は、根３６から水分および養分を吸収することができ、地下茎１４に塩水が注入されても枯れない。
【００２２】
図３に示すように、本発明の第２の実施の形態に係る筍の発芽防止装置は、第１の実施の形態に係る筍の発芽防止装置１０と比較して、発芽防止剤注入手段３８の構成が異なることが特徴となっている。このため、発芽防止剤注入手段３８に関してのみ詳細に説明し、同一の構成部材には同一の符号を付して説明を省略する。
発芽防止剤注入手段３８は、竹の地下茎１４の切断端部に基部側が取付けられ、先部側がホース１３の先部と接続するホースニップル３９を有している。ここで、ホースニップル３９は、竹の地下茎１４の切断端部に形成した雌ねじ領域４０を備えた取付け部４１に、基部側の固定部材４２に設けられた雄ねじ部４３をねじ込むことにより取付けている。更に、地下茎１４の取付け部４１には、取付け部４１の外周面に密着し押圧して補強する補強部材の一例であるホースバンド４４が設けられている。
【００２３】
続いて、本発明の第２の実施の形態に係る筍の発芽防止装置を使用した筍の発芽防止方法について説明するが、この筍の発芽防止方法は、第１の実施の形態に係る筍の発芽防止装置１０を使用した筍の発芽防止方法と比較して、発芽防止剤注入手段３８を地下茎１４に取付ける方法が異なることが特徴となっている。このため、発芽防止剤注入手段３８を地下茎１４に取付ける方法に関してのみ説明する。
選定した地下茎１４を穴３０内で切断し、一方の切断端部にドリルで凹部を形成する。次いで、形成した凹部の内周面にタップで雌ねじ領域４０を設けて地下茎１４の切断端部に取付け部４１を形成する。取付け部４１の形成が完了すると、ホースバンド４４内に取付け部４１を挿通させてからホースニップル３９の固定部材４２に設けられた雄ねじ部４３をねじ込んで取付ける。次いで、ホースバンド４４の締め付け調整ねじ４５を回して取付け部４１の外周面にホースバンド４４の内面側を密着させて締め付ける。これにより、取付け部４１の外周面がホースバンド４４により押圧されて補強される。そして、ホース１３の先部をホースニップル３９の先部側の接続口４６に接続する。
【００２４】
以上、本発明を、実施の形態を参照して説明してきたが、本発明は何ら上記した実施の形態に記載した構成に限定されるものではなく、特許請求の範囲に記載されている事項の範囲内で考えられるその他の実施の形態や変形例も含むものである。
例えば、地下茎を切断し、一方の切断端部に取付け部を形成しノズルの先部またはホースニップルを取付けて塩水を注入したが、他方の切断端部にも取付け部を形成して発芽防止剤注入手段を取付けて塩水を注入することもできる。この場合、２箇所から塩水を注入するので、広範囲に存在する地下茎に塩水を確実に注入することができる。２つの切断端部からは塩水を順次または同時に地下茎内に注入することができる。これによって、広範囲に存在する地下茎に塩水を短時間で効率的に注入することができる。
また、第１の実施の形態に係る筍の発芽防止装置において、発芽防止剤注入手段に設けられたノズルを取付け部に固定する際に、取付け部の外周面に密着して銅線を巻き回して巻線部を形成して補強したが、巻線部の代りにホースバンドを使用して補強することができる。更に、第２の実施の形態に係る筍の発芽防止装置において、発芽防止剤注入手段に設けられたホースニップルを取付け部に固定する際に、取付け部の外周面側にホースバンドを取付けて補強したが、取付け部の外周面に密着して銅線をコイル状に巻き回して巻線部を形成して補強することができる。
【００２５】
竹の地下茎の切断端部に発芽防止剤注入手段を取付けて塩水を注入したが、地下茎の途中位置（側部）に発芽防止剤注入手段を取付けて塩水を供給してもよい。
また、発芽防止剤として塩化ナトリウムの水溶液を使用したが、例えば、塩化カリウム、塩化マグネシウム、または塩化カルシウムの水溶液を使用することができる。
【図面の簡単な説明】
【００２６】
【図１】本発明の第１の実施の形態に係る筍の発芽防止装置の説明図である。
【図２】同筍の発芽防止装置を使用して発芽防止剤を注入する際の状況を示す説明図である。
【図３】本発明の第２の実施の形態に係る筍の発芽防止装置の発芽防止剤注入手段の説明図である。
【符号の説明】
【００２７】
１０：筍の発芽防止装置、１１：タンク、１２：ポンプ、１３：ホース、１４：地下茎、１５：発芽防止剤注入手段、１６：ストレーナ、１７：給水ホース、１８：本体部、１９：調圧ねじ、２０：調圧弁、２１：モータ、２２：オーバーフローホース、２３：電源スイッチ、２４：電源ケーブル、２５：吐出口、２６：ノズル、２７：取付け部、２８：巻線部、２９：竹、３０：穴、３１：ボールバルブ、３２〜３４：地下茎、３５：芽、３６：根、３８：発芽防止剤注入手段、３９：ホースニップル、４０：雌ねじ領域、４１：取付け部、４２：固定部材、４３：雄ねじ部、４４：ホースバンド、４５：締め付け調整ねじ、４６：接続口
【図１】
2008086300.tif 000003
【図２】
2008086300.tif 000004
【図３】
2008086300.tif 000005